(57)【要約】      （修正有）【課題】ベッドの前段を起こす時、自動的に壁面に近接し、ベッド前段と壁が離れるのを防止し、横たわった患者がベッド頭部上の物品を取りたい時、便利、省力にする折り畳みベッドを提供する。【解決手段】壁面に近接する折り畳みベッドは、第一駆動シリンダ３２と第二駆動シリンダ３３の伸縮運動作用により、底座１０上方に設置された前支承架２０と後支承架４０を帯動して、上向けに折れたり、下に平置する等の角度変化を生成し、且つ、前後支承架は連動架３０上に枢組され、連動架３０は底座１０上で平移し、前支承架２０が作動する時、折り畳みベッドの前後位置を変化させ、壁面に自動的に近接、或いは、離れることができる。【選択図】図２
0003147937.tif 000002
【実用新案登録請求の範囲】
【請求項１】
壁面に近接する折り畳みベッドであって、底座と、前支承架と、連動架と、後支承架と、昇降架と、からなり、且つ、前記前後支承架、連動架と昇降架上に、更に、マットを装着してなり、
前記底座上方両側はトラックを形成し、前記トラックにより前記連動架を滑設し、且つ、二トラックの前段外方上に連棒を枢組し、
前支承架は、抵止棒が後方両側上で、枢結棒を延伸してなり、且つ、二枢結棒の内方間は、横棒により連接し、前記横棒上は後ろに湾曲延伸するアームを形成し、前記連動架上の第一駆動シリンダと枢組し、
前記連動架の中段内間は二連接棒を設置し、前記の二連接棒の相対側は、それぞれ、前記第一駆動シリンダと前記第二駆動シリンダの固定端を枢組して、相異側上に枢接座を有し、前記前支承架と前記後支承架が相対枢組し、また、前記連動架の前後段間は、下にH型支承架を延伸形成し、前記H型支承架末端上はローラーを有し、前記H型支承架上に下枢座を設置して、前記昇降架は、前記連棒の連結により、前記連動架と枢組伝動し、
前記後支承架と前記昇降架は、枢結棒と相対側の前枢座の枢組により、同時に連動する関節形態を形成し、且つ、前記昇降架の後方上に、上枢座を有する抵止棒を形成し、前記後支承架の横棒上に、前に湾曲延伸するアームを形成して、前記第二駆動シリンダは前記アーム上に枢組し、
上述の構造により、前記連動架のローラーが前記底座のトラック内に滑設され、前記連動架が、前記トラック内で前後に滑移し、前記前後支承架は、前記枢結棒をそれぞれ、前後方の連接棒の枢座上に枢組し、前記第一駆動シリンダと前記第二駆動シリンダの作動棒は、それぞれ、前記前後支承架のアームと枢組し、前記昇降架は、前記前枢座により、前記後支承架の枢結棒の後方に枢組され、前記マットを前記前支承架、連動架、後支承架、及び、昇降架上に装着し、且つ、前記連棒の上方は、前記マット前段と結合することを特徴とする壁面に近接する折り畳みベッド。
【請求項２】
前記底座のトラック前方端内は、延伸架を挿入結合し、前記底座は、前記延伸架の伸出と収回により、全体の長さを変化させることができることを特徴とする請求項１に記載の壁面に近接する折り畳みベッド。
【請求項３】
前記マット下方は、モーターを装着し、前記折り畳みベッドに振動マッサージの機能を兼備させることを特徴とする請求項１に記載の壁面に近接する折り畳みベッド。
【考案の詳細な説明】
【技術分野】
【０００１】
本考案は、壁面に近接する折り畳みベッドに関し、特に、前段が上に起きたり、下に平置でき、使用者の食事や服薬、閲読時の姿勢をサポートする折り畳みベッドに関する。
【背景技術】
【０００２】
多くの身体が不便な患者は、行動が不便なので、長期に渡ってベッドに横たわる生活を余儀なくされる。ベッドに横たわるとき、医療スタッフや家族が、ベッド下方に設けられたレバーを操作して、ギアを帯動し、ベッドの前段を起こす。しかし、このような公知のベッドは、ベッドを起こす時に、角度の増加に伴い、壁面から離れ、患者が座る姿勢になると、患者とベッドの頭部の間にギャップが形成される。また、この角度が固定された後、ベッドは自動的に壁面に近接しないので、患者がベッドの頭部上の物品を自身で取りたい時、ギャップのせいで、とりにくい。また、公知のベッドは前段を起こしたい時、人に頼らないとできないという欠点がある。
【考案の開示】
【考案が解決しようとする課題】
【０００３】
本考案の目的は、壁面に近接する折り畳みベッドを提供し、ベッドの前段を起こす時、自動的に壁面に近接し、ベッド前段と壁が離れるのを防止し、横たわった患者がベッド頭部上の物品を取りたい時、便利、省力にすることにある。
【０００４】
本考案の目的は、壁面に近接する折り畳みベッドを提供し、第一駆動シリンダと第二駆動シリンダの伸縮運動作用により、前支承架と後支承架を帯動して、上向けに折ったり、下に平置することができ、患者が自身で操作できるだけでなく、操作時に、小さい力で実行でき、スタッフや家族の負担を軽減することである。
【課題を解決するための手段】
【０００５】
壁面に近接する折り畳みベッドは、第一駆動シリンダと第二駆動シリンダの伸縮運動作用により、底座上方に設置された前支承架と後支承架を帯動して、上向けに折ったり、下に平置する等の角度変化を生成し、且つ、前後支承架は、連動架上に枢組され、連動架は、底座上で平移し、前支承架が作動する時、折り畳みベッドの前後位置を変化させ、壁面に自動的に近接、或いは、離れることができる。
【考案の効果】
【０００６】
本考案の壁面に近接する折り畳みベッドは、第一駆動シリンダと第二駆動シリンダの伸縮運動作用により、前支承架と後支承架を帯動して、上向けに折ったり、下に平置することができ、患者が自身で操作できるだけでなく、操作時に、小さい力で実行でき、スタッフや家族の負担を軽減することができる。
【考案を実施するための最良の形態】
【０００７】
図１、及び、図２のように、本考案は、底座１０、前支承架２０、連動架３０、後支承架４０、及び、昇降架５０、からなる。前後支承架２０、４０、及び、連動架３０と昇降架５０上に、更に、マット６０を設置する。
【０００８】
底座１０上方両側はトラック１１を形成し、トラック１１により連動架３０を滑設し、且つ、二トラック１１の前段外方上に連棒１２を枢組し、前方端内に延伸架１３を結合し、底座１０は延伸架１３の伸出と収回により、全体の長さを変化させることができる。
【０００９】
前支承架２０は、抵止棒２１が後方両側上で、枢結棒２２を延伸してなり、且つ、二枢結棒２２の内方間は、横棒２３により連接し、横棒２３上は後ろに湾曲延伸するアーム２４を形成し、連動架３０上の第一駆動シリンダ３２と枢組する。
【００１０】
連動架３０の中段内間は二連接棒３１を設置し、二連接棒３１の相対側は、それぞれ、第一駆動シリンダ３２と第二駆動シリンダ３３の固定端を枢組して、前支承架２０と後支承架４０が相対枢組する。また、連動架３０の前後段間は、下にH型支承架３５を延伸形成し、H型支承架３５末端上はローラー３６を有し、H型支承架３５上に下枢座３７を設置して、昇降架５０は、連棒３８の連結により、連動架３０と枢組伝動する。
【００１１】
後支承架４０と昇降架５０は、枢結棒４１と相対側の前枢座５１の枢組により、同時に連動する関節形態を形成し、且つ、昇降架５０の後方上に、上枢座５３を有する抵止棒５２を形成し、後支承架４０の横棒４２上に、前に湾曲延伸するアーム４３を形成して、第二駆動シリンダ３３はアーム４３上に枢組する。
【００１２】
本考案の組み立て構造は、図１、図３、及び、図４で示されるように、連動架３０のローラー３６が底座１０のトラック１１内に滑設され、連動架３０が、トラック１１内で前後に滑移し、前後支承架２０、４０は、枢結棒２２、４１をそれぞれ、前後方の連接棒３１の枢座３４上に枢組し、第一駆動シリンダ３２と第二駆動シリンダ３３の作動棒３２１、３３１は、それぞれ、前後支承架２０、４０のアーム２４、４３と枢組し、第一駆動シリンダ３２と第二駆動シリンダ３３の作動棒３２１、３３１の伸縮作動により、それぞれ、前後支承架２０、４０を帯動して、上に折ったり、下に平置する等の角度変化を生成する。昇降架５０は、前枢座５１により、後支承架４０の枢結棒４１の後方に枢組され、連棒３８は、下枢座３７と上枢座５３間に枢組され、後支承架４０を折り、昇降架５０を帯動する時、二連棒３８の抵止により、昇降架５０が、この高度を維持し、その後、マット６０を前支承架２０、連動架３０、後支承架４０、及び、昇降架５０上に装着し、且つ、連棒１２の上方は、マット６０前段と結合して、組み合わせを完成する。
【００１３】
前支承架２０を折る動作は、図５〜図７で示されるように、第一駆動シリンダ３２の作動棒３２１が伸長する時、アーム２４の連結により、前支承フレーム２０を推動して、上に起きるが、マット６０前段は、連棒１２と結合し、且つ、連棒１２は、前支承架２０の角度変化により、反対方向の牽動力を生成するので、前支承架２０が徐々に上に起きるとき、反対方向の牽動力を利用して、連動架３０の底座１０上での前後滑移の特性により、折り畳みベッド全体を前方の壁面に接近させ、これにより、ベッドの前段と壁が離れることがなく、ベッド頭部上の物品を取りたい時、便利、省力である。また、第一駆動シリンダ３２の作動棒３２１を短縮状態にする時、アーム２４の連結により、前支承架２０を引動して、下に平置すると共に、連棒１２を収合し、連動架３０を後方に滑移し、これにより、前支承架２０が円滑に平坦になり、壁面に接触することがない。
【００１４】
図５〜図７で示されるように、第二駆動シリンダ３３の作動棒３３１が伸長する時、アーム４３に連結により、後支承架４０を推動して上に折り、且つ、昇降架５０は後支承架４０の後方上に枢組されると共に、二連棒３８の抵止により、その高度を維持して、ベッドに横になった時の太ももとふくらはぎを高く上げて支承する。また、第二駆動シリンダ３３の作動棒３２１が縮小状態の時、アーム４３の連結により、後支承架４０を下に平置し、連棒３８を収合して、昇降架５０が低下する。
【００１５】
図８のように、マット６０下方は、モーター７０を設置し、折り畳みベッドが振動マッサージ効果を兼備することができる。
【００１６】
上述の具体例の構造により、以下のような効果が得られる。１．折り畳みベッド前段を起こす時、自動的に壁面に近接し、患者がベッド頭部上の物品を取りたい時、便利で、省力である。２．第一駆動シリンダ３２と第二駆動シリンダ３３の作動棒３２１、３３１の伸縮作動により、前支承架２０、後支承架４０と昇降架５０を帯動して、起こしたり、平置したりすることができ、患者が自身で操作でき、更に、操作時に、小さい力で実行できるので、スタッフた家族の負担を軽減することができる。
【図面の簡単な説明】
【００１７】
【図１】本考案の立体組み合わせ図である。
【図２】本考案の立体分解図である。
【図３】本考案の立体組み合わせ透視図である。
【図４】本考案の組み合わせ側視図である。
【図５】本考案のベッドが起きた状態の立体外観図である。
【図６】本考案のベッドが起きた状態の立体透視図である。
【図７】本考案のベッドが起きた状態の側視図である。
【図８】本考案のマット下方にモーターを装着した実施例を示す図である。
【符号の説明】
【００１８】
１０     底座
１１     トラック
１２     連棒
１３     延伸架
２０     前支承架
２１     抵止棒
２２     枢結棒
２３     横棒
２４     アーム
３０     連動架
３１     連接棒
３２     第一駆動シリンダ
３２１   作動棒
３３     第二駆動シリンダ
３３１   作動棒
３４     枢座
３５     H型支承架
３６     ローラー
３７     下枢座
３８     連棒
４０     後支承架
４１     枢結棒
４２     横棒
４３     アーム
５０     昇降架
５１     前枢座
５２     抵止棒
５３     上枢座
６０     マット
７０     モーター
【図１】
0003147937.tif 000003
【図２】
0003147937.tif 000004
【図３】
0003147937.tif 000005
【図４】
0003147937.tif 000006
【図５】
0003147937.tif 000007
【図６】
0003147937.tif 000008
【図７】
0003147937.tif 000009
【図８】
0003147937.tif 000010